【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
液晶表示パネルと、前記液晶表示パネルの背面側に配置された光源と、前記液晶表示パネルと前記光源との間に配置され、一主面に凹凸部が多数連続して配列された集光性の光学シートと、前記液晶表示パネルと前記光学シートとの間に配置された拡散シートとを備えた液晶表示装置において、
前記光学シートの前記凹凸部の配列ピッチをＰ［μｍ］、前記拡散シートのヘイズ値をＨ［％］、前記拡散シートの全光線透過率をＴｔ［％］、前記液晶表示パネルの画素ピッチをＰｐ［μｍ］としたときに、
（Ｈ／Ｔｔ）・（Ｐｐ／Ｐ）≧１．６
１１０μｍ≦Ｐ
の関係を満たす
ことを特徴とする液晶表示装置。
【請求項２】
１１０μｍ≦Ｐ≦３５０μｍ
の関係を満たす
ことを特徴とする請求項１に記載の液晶表示装置。
【請求項３】
前記ヘイズ値Ｈは、後方散乱の計測値である
ことを特徴とする請求項１または請求項２に記載の液晶表示装置。
【請求項４】
前記光源は直下型のバックライトユニットである
ことを特徴とする請求項１または請求項２に記載の液晶表示装置。
【請求項５】
前記光源はエッジライト型のバックライトユニットである
ことを特徴とする請求項１または請求項２に記載の液晶表示装置。
【請求項６】
前記光源は蛍光ランプ（ＦＬ）、発光ダイオード（ＬＥＤ）およびエレクトロルミネッセンス（ＥＬ）のいずれか１つである
ことを特徴とする請求項１または請求項２に記載の液晶表示装置。
【請求項７】
前記拡散シートは反射型偏光子を含む
ことを特徴とする請求項１または請求項２に記載の液晶表示装置。
【請求項８】
液晶表示パネルおよび拡散シートと組み合わせて用いられ、一主面に凹凸部が多数連続して配列された集光性の光学シートの製造方法であって、
前記凹凸部の配列ピッチをＰ［μｍ］、前記拡散シートのヘイズ値をＨ［％］、前記拡散シートの全光線透過率をＴｔ［％］、前記液晶表示パネルの画素ピッチをＰｐ［μｍ］としたときに、前記凹凸部の配列ピッチ（Ｐ）の上限を以下の式に基づいて決定する
ことを特徴とする光学シートの製造方法。
（Ｈ／Ｔｔ）・（Ｐｐ／Ｐ）≧１．６
１１０μｍ≦Ｐ
【請求項９】
１１０μｍ≦Ｐ≦３５０μｍ
の関係を満たす
ことを特徴とする請求項８に記載の光学シートの製造方法。
【請求項１０】
前記凹凸部は溶融押出成形法により作製されている
ことを特徴とする請求項８または請求項９に記載の光学シートの製造方法。
【請求項１１】
前記光学シートは一体成形により作製されている
ことを特徴とする請求項８または請求項９に記載の光学シートの製造方法。
【請求項１２】
液晶表示パネルおよび拡散シートと組み合わせて用いられ、一主面に凹凸部が多数連続して配列された集光性の光学シートであって、
前記凹凸部の配列ピッチをＰ［μｍ］、前記拡散シートのヘイズ値をＨ［％］、前記拡散シートの全光線透過率をＴｔ［％］、前記液晶表示パネルの画素ピッチをＰｐ［μｍ］としたときに、
（Ｈ／Ｔｔ）・（Ｐｐ／Ｐ）≧１．６
１１０μｍ≦Ｐ
の関係を満たす
ことを特徴とする光学シート。
【請求項１３】
１１０μｍ≦Ｐ≦３５０μｍ
の関係を満たす
ことを特徴とする請求項１２に記載の光学シート。
【請求項１４】
２００μｍ≦Ｐ≦３５０μｍ
の関係を満たす
ことを特徴とする請求項１３に記載の光学シート。
【請求項１５】
前記ヘイズ値Ｈは、後方散乱の計測値である
ことを特徴とする請求項１２ないし請求項１４のいずれか一項に記載の光学シート。
【請求項１６】
前記凹凸部は少なくとも１種類の透明性熱可塑性樹脂により作製される
ことを特徴とする請求項１２ないし請求項１４のいずれか一項に記載の光学シート。
【請求項１７】
前記光学シートは屈折率が１．４以上の樹脂により形成されている
ことを特徴とする請求項１２ないし請求項１４のいずれか一項に記載の光学シート。
【請求項１８】
前記光学シートはポリカーボネート樹脂、アクリル樹脂、ポリエステル樹脂、非晶性共重合ポリエステル樹脂、ポリスチレン樹脂またはポリ塩化ビニル樹脂により形成される
ことを特徴とする請求項１２ないし請求項１４のいずれか一項に記載の光学シート。
【請求項１９】
前記凹凸部は、断面三角形状のプリズム体である
ことを特徴とする請求項１２ないし請求項１４のいずれか一項に記載の光学シート。
【請求項２０】
前記凹凸部は、双曲面または放物面を有し、
前記光学シートの法線方向に平行にＺ軸をとり、前記凹凸部の配列方向にＸ軸をとったときに、前記凹凸部の断面形状が、以下の式を満たす
ことを特徴とする請求項１２ないし請求項１４のいずれか一項に記載の光学シート。
Ｚ＝Ｘ2／（Ｒ＋√（Ｒ2−（１＋Ｋ）Ｘ2））
（但し、Ｒは先端頂点の曲率半径［μｍ］、Ｋはコーニック定数である。）
【請求項２１】
前記凹凸部は、高次の非球面を有し、
前記光学シートの法線方向に平行にＺ軸をとり、前記凹凸部の配列方向にＸ軸をとったときに、前記凹凸部の断面形状が、以下の式を満たす
ことを特徴とする請求項１２ないし請求項１４のいずれか一項に記載の光学シート。
Ｚ＝Ｘ2／（Ｒ＋√（Ｒ2−（１＋Ｋ）Ｘ2））＋ＡＸ4＋ＢＸ5＋ＣＸ6＋・・・
（但し、Ｒは先端頂点の曲率半径［μｍ］、Ｋはコーニック定数、Ａ，Ｂ，Ｃ・・・は非球面係数である。）
【請求項２２】
前記凹凸部が設けられた一主面とは反対側の他主面には凸部がさらに設けられ、
前記凸部は、前記凹凸部を形成しない状態において前記光学シートの曇り度が６０％以下となるように設けられている
ことを特徴とする請求項１２ないし請求項１４のいずれか一項に記載の光学シート。
【請求項２３】
前記凸部が設けられた側の面の平均傾斜勾配が、０．２５ｒａｄ以下である
ことを特徴とする請求項１２ないし請求項１４のいずれか一項に記載の光学シート。
【請求項２４】
前記凹凸部の外形形状が周期的またはランダム的に異なっている
ことを特徴とする請求項１２ないし請求項１４のいずれか一項に記載の光学シート。
【請求項２５】
前記凹凸部の高さが異なっている
ことを特徴とする請求項１２ないし請求項１４のいずれか一項に記載の光学シート。
【請求項２６】
前記凹凸部は、断面三角形状のプリズム体であり、
前記凹凸部の斜面部が異なる傾斜角で形成されている
ことを特徴とする請求項１２ないし請求項１４のいずれか一項に記載の光学シート。
【手続補正２】
【補正対象書類名】明細書
【補正対象項目名】００１３
【補正方法】変更
【補正の内容】
【００１３】
すなわち、本発明の液晶表示装置は、液晶表示パネルと、液晶表示パネルの背面側に配置された光源と、液晶表示パネルと光源との間に配置され、一主面に凹凸部が多数連続して配列された集光性の光学シートと、液晶表示パネルと光学シートとの間に配置された拡散シートとを備えた液晶表示装置において、光学シートの凹凸部の配列ピッチをＰ［μｍ］、拡散シートのヘイズ値をＨ［％］、拡散シートの全光線透過率をＴｔ［％］、液晶表示パネルの画素ピッチをＰｐ［μｍ］としたときに、
（Ｈ／Ｔｔ）・（Ｐｐ／Ｐ）≧１．６
１１０μｍ≦Ｐ
の関係を満たすことを特徴とする。
【手続補正３】
【補正対象書類名】明細書
【補正対象項目名】００１４
【補正方法】変更
【補正の内容】
【００１４】
また、本発明の光学シートの製造方法は、液晶表示パネルおよび拡散シートと組み合わせて用いられ、一主面に凹凸部が多数連続して配列された集光性の光学シートの製造方法であって、上記凹凸部の配列ピッチをＰ［μｍ］、拡散シートのヘイズ値をＨ［％］、拡散シートの全光線透過率をＴｔ［％］、液晶表示パネルの画素ピッチをＰｐ［μｍ］としたときに、凹凸部の配列ピッチ（Ｐ）の上限を以下の式に基づいて決定する。
（Ｈ／Ｔｔ）・（Ｐｐ／Ｐ）≧１．６
１１０μｍ≦Ｐ
【手続補正４】
【補正対象書類名】明細書
【補正対象項目名】００１５
【補正方法】変更
【補正の内容】
【００１５】
更に、本発明の光学シートは、液晶表示パネルおよび拡散シートと組み合わせて用いられ、一主面に凹凸部が多数連続して配列された集光性の光学シートであって、上記凹凸部の配列ピッチをＰ［μｍ］、拡散シートのヘイズ値をＨ［％］、拡散シートの全光線透過率をＴｔ［％］、液晶表示パネルの画素ピッチをＰｐ［μｍ］としたときに、
（Ｈ／Ｔｔ）・（Ｐｐ／Ｐ）≧１．６
１１０μｍ≦Ｐ
の関係を満たすことを特徴とする。